(57)【要約】【課題】受信したすべてのコンテンツデータに解析処理を適用することができる映像表示装置および情報送信方法を提供する。【解決手段】表示部１３に表示されたコンテンツデータを解析し、解析されたコンテンツデータから抽出されたテキストデータを記憶装置１５に記憶する。通信可能な携帯端末２０が検索された場合は、記憶装置１５に記憶されたテキストデータを携帯端末２０に送信する。【選択図】      図２
2010041689.tif 000002
【特許請求の範囲】
【請求項１】
表示部と、
前記表示部に表示されるコンテンツデータの画像を解析してテキストデータを抽出する解析部と、
前記解析部によって画像から抽出された前記テキストデータを記憶する記憶部と、
無線により無線端末を検索する無線通信部と、
前記無線通信部によって、通信可能な前記無線端末が検索された場合は、前記記憶部に記憶された前記テキストデータを前記無線端末に送信する送信部と、を備えることを特徴とする映像表示装置。
【請求項２】
前記解析部は、前記画像に含まれる、特定パターンを有する画像からテキストデータを抽出し、
前記送信部は、前記テキストデータを前記無線端末に送信することを特徴とする請求項１に記載の映像表示装置。
【請求項３】
前記映像表示装置は、前記無線端末からの信号を受信すると、前記解析部によって前記表示部に表示される画像の解析を開始することを特徴とする請求項１記載の映像表示装置。
【請求項４】
前記記憶部に記憶された前記テキストデータは、前記送信部により前記無線端末に送信が終了すると、前記記憶部から削除することを特徴とする請求項１に記載の映像表示装置。
【請求項５】
前記記憶部にテキストデータが記憶されると、前記表示部に前記記憶部前記にテキストデータが記憶された旨を表示することを特徴とする請求項１に記載の映像表示装置。
【請求項６】
点灯部をさらに備え、前記記憶部に前記テキストデータが記憶されると、前記点灯部を点灯させることを特徴とする請求項１に記載の映像表示装置。
【請求項７】
音声出力部をさらに備え、前記記憶部に前記テキストデータが記憶されると、前記音声出力部から音声を出力することを特徴とする請求項１に記載の映像表示装置。
【請求項８】
表示部および無線通信部を備えた映像表示装置で用いられる情報送信方法であって、
前記表示部に表示されるコンテンツデータの画像を解析してテキストデータを抽出し、
画像を解析して画像から抽出された前記テキストデータを記憶部に記憶し、
前記無線通信部により無線端末を検索し、
通信可能な前記無線端末が検索された場合は、前記記憶部に記憶された前記テキストデータを前記無線端末に送信することを特徴とする情報送信方法。
【請求項９】
前記画像に含まれる、特定パターンを有する画像からテキストデータを抽出し、該テキストデータを前記無線端末に送信することを特徴とする請求項８に記載の情報送信方法。
【発明の詳細な説明】
【技術分野】
【０００１】
本発明は、映像表示装置に係り、特に表示されたコンテンツからテキストデータ等を抽出して無線端末に送信することができる映像表示装置および情報送信方法に関する。
【背景技術】
【０００２】
一般に、テレビジョン受像機等のコンテンツ表示装置においては、表示装置に表示されたコンテンツデータが付帯（関連）情報を伴ったデジタル放送等である場合には、付帯情報を取り出すことができる。例えば、特許文献１では、テレビジョン受像機で受信したコンテンツに関連する情報を一時的に記憶して携帯端末等に転送する技術が開示されている。
【特許文献１】特開２００４−２３４６４６号公報
【発明の開示】
【発明が解決しようとする課題】
【０００３】
しかしながら、特許文献１に記載された技術では、受信したコンテンツデータに関連する情報がないと実施することができない。すなわち、限られたコンテンツデータにしか適用することができない。
【０００４】
そこで、本発明は、受信したすべてのコンテンツデータに解析処理を適用することができる映像表示装置および情報送信方法を提供することを目的とする。
【課題を解決するための手段】
【０００５】
上述した課題を解決するために、本発明の一態様によれば、表示部と、前記表示部に表示されるコンテンツデータの画像を解析してテキストデータを抽出する解析部と、前記解析部によって画像から抽出された前記テキストデータを記憶する記憶部と、無線により無線端末を検索する無線通信部と、前記無線通信部によって、通信可能な前記無線端末が検索された場合は、前記記憶部に記憶された前記テキストデータを前記無線端末に送信する送信部と、を備えることを特徴とする映像表示装置が提供される。
【０００６】
また、本発明の別の一態様によれば、表示部および無線通信部を備えた映像表示装置で用いられる情報送信方法であって、前記表示部に表示されるコンテンツデータの画像を解析してテキストデータを抽出し、画像を解析して画像から抽出された前記テキストデータを記憶部に記憶し、前記無線通信部により無線端末を検索し、通信可能な前記無線端末が検索された場合は、前記記憶部に記憶された前記テキストデータを前記無線端末に送信することを特徴とする情報送信方法が提供される。
【発明の効果】
【０００７】
本発明によれば、受信したすべてのコンテンツデータに解析処理を適用することができる映像表示装置および情報送信方法を提供することができる。
【発明を実施するための最良の形態】
【０００８】
以下、本発明の実施形態について図面を参照しながら説明する。
【０００９】
まず、図１を参照して、本発明の一実施形態に係る映像表示装置を有する映像表示装置の構成について説明する。
【００１０】
図１に示すように、映像表示装置は、例えばテレビジョン受像機１０として実現されている。なお、映像表示装置は、上述したテレビジョン受像機１０に限らず、コンテンツデータを受信して表示可能な装置であればよく、例えばインターネット経由でコンテンツデータを受信して表示可能なパーソナルコンピュータ等でもよい。
【００１１】
映像表示装置であるテレビジョン受像機１０は、表示装置（表示部）１３に表示されたコンテンツデータの画像（以下、コンテンツデータとも称する）を解析して携帯端末（無線端末）２０に例えば近距離無線部１７を介して送信する。コンテンツデータの画像は、例えばＱＲコード（Quick Response code）１００であり、表示装置１３に表示されたＱＲコードを解析して、ＵＲＬ（Uniform Resource Locator）を抽出し、抽出されたＵＲＬのテキストデータを携帯端末２０に無線で送信する。また、コンテンツデータの画像が、表示装置１３に表示された文字データである場合には、ＯＤＳ（On Screen Display）信号により表示された文字データを解析して、テキストデータを抽出する。
【００１２】
次に、図２は、テレビジョン受像機１０の構成を示したブロック図である。テレビジョン受像機１０は、同図に示すように、入力装置１１、ＣＰＵ１２、表示装置１３、バッファ１４、記憶装置（記憶部）１５、チューナ１６、近距離無線部１７、解析装置（解析部）１８等を備える。入力装置１１は、テレビジョン受像機１０の各種操作の信号等が入力されるインターフェイス部である。ＣＰＵ１２は、テレビジョン受像機１０の総括的な制御を行う。表示装置１３は、チューナ１６等で受信したコンテンツデータ等を表示する表示デバイスである。バッファ１４は、受信したコンテンツデータ等を一時的に記憶しておくメモリデバイスであり、後述する記憶装置１５よりも高速にデータの読み書きが可能である。記憶装置（記憶部）１５は、受信したコンテンツデータ等を記憶するＨＤＤ（ハードディスクドライブ）やフラッシュメモリ等の記憶装置である。チューナ１６は、放送波を受信するチューニングデバイスである。近距離無線部１７は、例えば、TransferJet等である近距離無線通信を行う通信デバイスである。近距離無線部１７は、近距離通信を行うデバイスであれば限定されるものではない。解析装置（解析部）１８は、受信したコンテンツデータを解析する解析処理用のＩＣである。受信したコンテンツデータが、例えばＱＲコードである場合は、このＱＲコードを解析して、ＵＲＬ（Uniform Resource Locator）を抽出する。抽出されたＵＲＬのテキストデータは、ＣＰＵ１２により、近距離無線部１７を介して携帯端末２０に無線で送信される。また、コンテンツデータが、表示装置１３に表示された文字データである場合には、ＯＤＳ信号により表示された文字データを解析して、テキストデータを抽出する。
【００１３】
次に、図３は、携帯端末２０の構成を示したブロック図である。携帯端末２０は、同図に示すように、入力装置２１、ＣＰＵ２２、表示装置２３、記憶装置２４、公衆無線部２５、近距離無線部２６等を備える。入力装置２１は、携帯端末２０の各種操作の信号等が入力されるインターフェイス部である。ＣＰＵ２２は、携帯端末２０の総括的な制御を行う。表示装置２３は、送受信するテキストデータ等を表示する表示デバイスである。また、携帯端末２０の操作状態等も表示する。記憶装置２４は、受信したテキストデータ等を記憶するフラッシュメモリ等の記憶装置である。公衆無線部２５は、公衆回線を介して電話会社等の回線を用いて通信する場合に用い、外部ネットワークへのアクセスを行う通信デバイスである。近距離無線部２６は、例えば、TransferJet等である近距離無線通信を行う通信デバイスである。なお、近距離無線部２６は、テレビジョン受像機１０の近距離無線部１７と無線通信を行うため、近距離無線部１７と同様の無線規格とする必要がある。
【００１４】
以上のように構成されたテレビジョン受像機１０の処理を図４に示すフローチャートを参照して説明する。
【００１５】
テレビジョン受像機１０は、チューナ１６により受信した放送波等のコンテンツデータを解析装置１８によって解析を行う。この解析処理は、受信したコンテンツデータに含まれる文字データの認識処理、ＱＲコード等の画像データの認識処理等である。また、同時に近くに近距離無線通信に対応した携帯端末（近距離無線部１７と無線通信を行うことのできる携帯端末）がないかをサーチ（検索）する処理を開始する（ステップＳ１０１）。テレビジョン受像機１０は、一定間隔でバッファ１５にコンテンツデータを書き込む。ＣＰＵ１２によりバッファ１５に新たなコンテンツデータが格納されたことを確認した時、解析装置１８にバッファ１５の内容を解析させる。
【００１６】
ステップＳ１０１において、コンテンツデータの解析処理は、例えば、テレビジョン受像機１０の表示装置１３に表示されたＱＲコード（図５参照）を解析する。ＱＲコードの解析には、まず、コンテンツデータから色差情報を抽出する。色差情報の大きい箇所、すなわち、エッジが四角い領域に集中すると判別される場合は、判別された四角い領域を切り出して抽出する。抽出された四角い領域に、ＱＲコードの特徴である３点の二重の正方形２００（図５参照）が認識されればＱＲコードであると判別される。この場合、解析装置１８はＣＰＵ１２からの命令を受け、バッファ１４に格納されたコンテンツデータのうち二次元情報の特徴点を抽出する（例：四角い規則的な領域が存在する、ＱＲコードという文字列をＯＳＤが認識する）。特徴点が抽出できた場合は、二次元情報に含まれる情報を解析して、解析結果を記憶装置１５に記憶する。
【００１７】
また、ステップＳ１０１において、コンテンツデータの解析処理は、例えば、テレビジョン受像機１０の表示装置１３に表示された文字データ（図８〜図１０参照）を解析する。文字データの解析には、まず、コンテンツデータから色差情報を抽出する。色差情報の大きい箇所に対してＯＳＤ信号を用いてテキストデータを抽出する。こ場合、解析装置１８はＣＰＵ１２からの命令を受け、バッファ１４に格納されたコンテンツデータのうち二次元情報の特徴点を抽出する（例：表示装置１３の下半分に表示された文字データをＯＣＲ（Optical Character Reader）等のパターンマッチングを行うソフトウェアによってテキストデータを抽出する）。
【００１８】
抽出されたＵＲＬや文字等のテキストデータは、記憶装置１５に記憶される。例えば、図８〜図１０に示すように、複数のテキストデータを抽出した場合は、複数のテキストデータが記憶装置１５に記憶される。
【００１９】
次に、テレビジョン受像機１０のＣＰＵ１２によって、近くに近距離無線通信に対応した携帯端末がサーチされた場合は（ステップＳ１０２のＹＥＳ）、サーチされた携帯端末、例えば、携帯端末２０が待ち受け状態（通信可能）であるか否かを判別する（ステップＳ１０３）。この判別には、テレビジョン受像機１０のＣＰＵ１２は、テレビジョン受像機１０の近距離無線部１７を介して携帯端末２０にアクセスを行い、携帯端末２０からの応答があるか否かによって通信可能であるかを判別する。ステップＳ１０３で、テレビジョン受像機１０のＣＰＵ１２によって、サーチされた携帯端末２０が待ち受け状態であると判別された場合は（ステップＳ１０３のＹＥＳ）、テレビジョン受像機１０の記憶装置１５に蓄積（記憶）されている情報（テキストデータ等）を携帯端末２０に近距離無線部１７を介して転送（送信）する（ステップＳ１０４）。テレビジョン受像機１０から携帯端末２０へのテキストデータ等の転送（送信）が完了すると、例えば図７および図１１に示すように、完了の表示１０−２を表示装置１３に表示する（スピーカ１０−５から音声を出力するようにしてもよい）。また、携帯端末２０からテレビジョン受像機１０に受信完了の信号を送信する。この受信完了の信号を受け取ったテレビジョン受像機１０は、記憶装置１５に記憶されている対応するテキストデータを削除する。なお、テキストデータを削除するタイミングは、携帯端末２０から受信完了の信号を受け取ったとき、記憶装置１５の残り容量が所定容量となった場合等である。記憶装置１５の残り容量が所定容量となった場合に消去を行う場合は、例えば古いデータから消去する。
【００２０】
一方、ステップＳ１０３で、テレビジョン受像機１０のＣＰＵ１２によって、サーチされた携帯端末２０が待ち受け状態でないと判別された場合は（ステップＳ１０３のＮＯ）、テレビジョン受像機１０の表示装置１３に記憶装置１５に記憶されているテキストデータ等の蓄積情報がある旨を表示してテレビジョン受像機１０が待ち受け状態に入る（ステップＳ１０５）。表示装置１３に記憶装置１５に記憶されているテキストデータ等の蓄積情報がある旨の表示は、例えば、図１２に示すように、「転送可能リスト」として表示する。上述したように、図８〜図１０に表示された文字データを抽出してテキストデータとして記憶している場合は、３つの転送可能なテキストデータが記憶装置１５に記憶されているので、「転送可能リスト」に選択可能に表示する。また、３つの転送可能情報以外にすべて転送の選択項目を表示するようにしてもよい。さらに、図１３に示すように、「携帯電話でタッチして下さい。データ残り３（個）」等の表示を表示装置１３に行い、ユーザに近距離無線部１７を介した情報転送を促す表示を表示する（または図６参照）。近距離無線通信を用いているので、携帯電話でタッチして、またはタッチするほど近距離で無線通信を行う。
【００２１】
また、転送可能なテキストデータが記憶装置１５に記憶されている場合は、ＬＥＤ（点灯部）１０−４を点灯させるようにしてもよい。さらに、転送可能なテキストデータが記憶装置１５に記憶されている場合は、スピーカ（音声出力部）１０−５から所定の音声を出力するようにしてもよい。これによりユーザに携帯端末を受信可能に準備させるように促すことができる。
【００２２】
次に、サーチされた携帯端末、例えば、携帯端末２０が待ち受け状態であるか否かを判別する（ステップＳ１０６）。この判別には、ステップＳ１０３と同様に、テレビジョン受像機１０のＣＰＵ１２は、テレビジョン受像機１０の近距離無線部１７を介して携帯端末２０にアクセスを行い、携帯端末２０からの応答があるか否かによって通信可能であるかを判別する。ステップＳ１０３で、テレビジョン受像機１０のＣＰＵ１２によって、サーチされた携帯端末２０が待ち受け状態であると判別された場合は（ステップＳ１０６のＹＥＳ）、テレビジョン受像機１０の記憶装置１５に蓄積（記憶）されている情報（テキストデータ等）を携帯端末２０に近距離無線部１７を介して転送（送信）する（ステップＳ１０４）。
【００２３】
一方、ステップＳ１０６で、テレビジョン受像機１０のＣＰＵ１２によって、サーチされた携帯端末２０が待ち受け状態でないと判別された場合は（ステップＳ１０６のＮＯ）、テレビジョン受像機１０は、引き続き待ち受け状態であり、テレビジョン受像機１０のＣＰＵ１２は、テレビジョン受像機１０の待ち受け状態が例えば３分間続いているか否かを判別する（ステップＳ１０７）。ステップ１０７で、テレビジョン受像機１０のＣＰＵ１２によって、テレビジョン受像機１０の待ち受け状態が例えば３分間続いていると判別された場合は（ステップＳ１０７のＹＥＳ）、テレビジョン受像機１０の待ち受け状態を解除する（ステップＳ１０８）。
【００２４】
上述した実施形態によれば、受信したすべてのコンテンツデータに解析処理を適用し、テキストデータを抽出して携帯端末に転送することができる。また、テレビジョン受像機のように、表示情報が常に更新され、かつ表示情報に対して機器側で操作できないような機器の場合、表示情報を受け入れ機器に安定的に送付することが可能になる。
【００２５】
また、上述した実施形態では、コンテンツデータの受信開始に伴って、コンテンツデータの解析を開始しているが、テレビジョン受像機１０が携帯端末２０からの解析開始信号を受信した場合に、受信したコンテンツデータの解析を開始するようにしてもよい。また、携帯端末２０からの解析開始信号の代わりに、テレビジョン受像機１０を操作可能なリモートコントローラの所定のキーの押下による解析開始信号を受信した場合に、受信したコンテンツデータの解析を開始するようにしてもよい。この場合、コンテンツデータの解析を完了した場合（例えば１つのＱＲコードを抽出した場合等）は、自動的に解析処理を解除（中止）する。さらに、上述した実施形態では、図６および図７等に示すように、テレビジョン受像機１０の表示装置１３にダイヤログを表示するようにしているが、別レイヤーとしてウィンドウ表示してもよい。
【００２６】
また、本発明は、上述した実施形態そのままに限定されるものではない。本発明は、実施段階では、その要旨を逸脱しない範囲で構成要素を変更して具現化できる。
【００２７】
さらに、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００２８】
【図１】本発明の一実施形態に係る映像表示装置の構成の概念を示す図。
【図２】同実施形態に係る映像表示装置の構成を示すブロック図。
【図３】同実施形態に係る携帯端末の構成を示すブロック図。
【図４】同実施形態に係る映像表示装置を適用した情報送信方法の処理について説明するためのフローチャート。
【図５】同実施形態に係る映像表示装置による解析処理が行われるＱＲコードを示した図。
【図６】同実施形態に係る映像表示装置の表示装置に表示されるダイヤログの概念を示した図。
【図７】同実施形態に係る映像表示装置の表示装置に表示されるダイヤログの概念を示した図。
【図８】同実施形態に係る映像表示装置の表示装置に表示される文字データの概念を示した図。
【図９】同実施形態に係る映像表示装置の表示装置に表示される文字データの概念を示した図。
【図１０】同実施形態に係る映像表示装置の表示装置に表示される文字データの概念を示した図。
【図１１】同実施形態に係る映像表示装置の表示装置に表示される転送完了の状態を示した図。
【図１２】同実施形態に係る映像表示装置の表示装置に表示される転送可能リストの状態を示した図。
【図１３】同実施形態に係る映像表示装置の表示装置に表示されるダイヤログの概念を示した図。
【符号の説明】
【００２９】
１０…テレビジョン受像機、１１、２１…入力装置、１２、２２…ＣＰＵ、１３、２３…表示装置、１４…バッファ、１５、２４…記憶装置、１６…チューナ、１７、２６…近距離無線部、１８…解析装置、２０…携帯端末、２５…公衆無線部、１００…ＱＲコード
【図１】
2010041689.tif 000003
【図２】
2010041689.tif 000004
【図３】
2010041689.tif 000005
【図４】
2010041689.tif 000006
【図５】
2010041689.tif 000007
【図６】
2010041689.tif 000008
【図７】
2010041689.tif 000009
【図８】
2010041689.tif 000010
【図９】
2010041689.tif 000011
【図１０】
2010041689.tif 000012
【図１１】
2010041689.tif 000013
【図１２】
2010041689.tif 000014
【図１３】
2010041689.tif 000015